(57)【要約】【課題】ヒートポンプとデシカントローターを複合させた除湿装置において、除霜運転を確実に行えるようにする。【解決手段】冷媒を圧縮する圧縮機１０１と冷媒が供給空気に放熱する放熱器１０２と冷媒を膨張させて減圧する膨張機構１０３と冷媒が供給空気から吸熱する吸熱器１０４とを配管接続した蒸気圧縮式のヒートポンプ１０５と、駆動手段２によって回転し吸湿領域１０６では供給空気から吸湿するとともに放湿領域１０７では加熱されて水分を放出するデシカントローター１０８と、を備え、室内空気を放熱器１０２、放湿領域１０７、吸熱器１０４、吸湿領域１０６の順に供給し、除湿運転を行う除湿装置において、吸熱器１０４の着霜状態を予測する着霜予測手段２７を備え、着霜予測手段２７が吸熱器１０４の着霜を予測した時、吸熱器１０４の着霜量を抑制しながら除湿運転を行うものである。【選択図】図１
2008080233.tif 000002
【特許請求の範囲】
【請求項１】
冷媒を圧縮する圧縮機（１０１）と冷媒が供給空気に放熱する放熱器（１０２）と冷媒を膨張させて減圧する膨張機構（１０３）と冷媒が供給空気から吸熱する吸熱器（１０４）とを配管接続した蒸気圧縮式のヒートポンプ（１０５）と、駆動手段（２）によって回転し吸湿領域（１０６）では供給空気から吸湿するとともに放湿領域（１０７）では加熱されて水分を放出するデシカントローター（１０８）と、を備え、室内空気を前記放熱器（１０２）、前記放湿領域（１０７）、前記吸熱器（１０４）、前記吸湿領域（１０６）の順に供給し、除湿運転を行う除湿装置において、前記吸熱器（１０４）の着霜状態を予測する着霜予測手段（２７）を備え、前記着霜予測手段（２７）が前記吸熱器（１０４）の着霜を予測した時、前記吸熱器（１０４）の着霜量を抑制しながら除湿運転を行うことを特徴とする除湿装置。
【請求項２】
除湿量を低減することで吸熱器（１０４）の着霜量を抑制することを特徴とする請求項１記載の除湿装置。
【請求項３】
放湿領域（１０７）を加熱する加熱手段（１０９）を備え、前記加熱手段（１０９）の出力を低減することを特徴とする前記１または２記載の除湿装置。
【請求項４】
吸熱器（１０４）に供給する空気の風量を増加させることを特徴とする請求項１乃至３のいずれかに記載の除湿装置。
【請求項５】
放熱器（１０２）の放熱量を減少させることを特徴とする請求項１乃至４のいずれかに記載の除湿装置。
【請求項６】
室内空気を放熱器（１０２）、放湿領域（１０７）、吸熱器（１０４）、吸湿領域（１０６）の順に供給するメイン風路（７）と、室内空気を前記放熱器（１０２）に供給する第１バイパス風路（８）を備え、前記第１バイパス風路（８）の風量を減少させることを特徴とする請求項５記載の除湿装置。
【請求項７】
メイン風路（７）と第１バイパス風路（８）に室内空気を供給する１つの送風手段（６）を備え、前記第１バイパス風路（８）に風路抵抗を付加することを特徴とする請求項６記載の除湿装置。
【請求項８】
吸熱器（１０４）の前段に室内空気を直接取り入れる第２バイパス風路（１１）を有する除湿装置において、前記第２バイパス風路（１１）の空気抵抗を調整することにより前記吸熱器（１０４）への空気供給量を減少させることを特徴とする請求項１乃至７のいずれかに記載の除湿装置。
【請求項９】
吸熱器（１０４）に付着した霜を取り除く除霜運転を備え、運転開始前に着霜予測手段（２７）が着霜状態を予測した場合は、運転開始時は、除霜運転から行うことを特徴とする請求項１乃至８のいずれかに記載の除湿装置。
【請求項１０】
運転開始から所定時間経過後に吸熱器（１０４）の冷媒温度が所定温度以下であることを検知して着霜を判断する着霜判断手段（２６）を備え、運転開始前に着霜予測手段（２７）が着霜を予測した場合、運転後一回目の前記着霜判断手段（２６）の着霜判断までの所定時間を、２回目以降の着霜判断までの時間より短くすることを特徴とする請求項１乃至８のいずれかに記載の除湿装置。
【請求項１１】
圧縮器（１０１）を停止し、加熱手段（１０９）およびデシカントローター（１０８）を駆動し、室内空気を前記圧縮器（１０１）、放湿領域（１０７）、吸熱器（１０４）、吸湿領域（１０６）へと供給することにより除霜運転を行う除湿装置において、除霜運転時は前記デシカントローター（１０８）の駆動速度を遅くすることを特徴とする請求項９または１０に記載の除湿装置。
【請求項１２】
圧縮器（１０１）を停止し、加熱手段（１０９）およびデシカントローター（１０８）を駆動し、室内空気を前記圧縮器（１０１）、放湿領域（１０７）、吸熱器（１０４）、吸湿領域（１０６）へと供給することにより除霜運転を行う除湿装置において、除霜運転時は空気供給量を増加させることを特徴とする請求項９乃至１１のいずれかに記載の除湿装置。
【請求項１３】
圧縮器（１０１）を停止し、加熱手段（１０９）およびデシカントローター（１０８）を駆動し、室内空気を前記圧縮器（１０１）、放湿領域（１０７）、吸熱器（１０４）、吸湿領域（１０６）へと供給することにより除霜運転を行う除湿装置において、除霜運転時は前記加熱手段（１０９）の加熱量を増加させることを特徴とする請求項９乃至１２のいずれかに記載の除湿装置。
【請求項１４】
除霜運転に切り替わってから所定時間経過後に加熱手段（１０９）の加熱量を増加させることを特徴とする請求項１３記載の除湿装置。
【請求項１５】
室内空気の温度または温湿度を測定する測定手段（１２、１３）を備え、着霜予測手段（２７）は、前記測定手段（１２、１３）の測定値を元に吸熱器（１０４）の着霜を予測することを特徴とする請求項１乃至１４のいずれかに記載の除湿装置。
【発明の詳細な説明】
【技術分野】
【０００１】
本発明は、圧縮機、放熱器、膨張機構、吸熱器等から構成されるヒートポンプと、吸着剤や吸収剤を用いて吸放湿を行うデシカントローターにより、除湿運転を行う除湿装置に関する。
【背景技術】
【０００２】
従来のヒートポンプとデシカントローターによる除湿運転を行う除湿装置としては、室内空気を、放熱器、デシカントローターの放湿領域、吸熱器、デシカントローターの吸湿領域の順に供給し除湿を行うものがある（例えば、特許文献１参照）。
【０００３】
以下、その除湿装置について図８を参照しながら説明する。
【０００４】
図８に示すように、冷媒を圧縮する圧縮機１０１と供給空気に放熱する放熱器１０２と冷媒を膨張させる膨張機構１０３と供給空気から吸熱する吸熱器１０４からなるヒートポンプ１０５と、供給空気から吸湿する吸湿領域１０６と供給空気に放湿する放湿領域１０７を有するデシカントローター１０８と、放湿領域１０７の放湿を促進する加熱手段１０９を備え、室内空気を、放熱器１０２においてヒートポンプ１０５の放熱および加熱手段１０９により加熱し、次に放湿領域１０７においてデシカントローター１０８の放湿により加湿し、次に吸熱器１０４においてヒートポンプ１０５の吸熱により冷却し、次に吸湿領域１０６においてデシカントローター１０８の吸湿により除湿する。さらに吸熱器１０４の着霜を判断する着霜判断手段、および、吸熱器１０４に付着した水滴や霜を乾燥する乾燥運転（除霜運転）を備え、着霜判断手段が着霜を判断した場合には、乾燥運転（除霜運転）を行い、吸熱器１０４に付着した霜、氷を乾燥する構成になっている。一例では、吸熱器１０４の温度が所定温度以下であるとき着霜判断手段が着霜を判断し、乾燥運転（除霜運転）を開始する。乾燥運転（除霜運転）は、圧縮機１０１の駆動を止めることによりヒートポンプ１０５の動作を停止し、加熱手段１０９およびデシカントローター１０８を駆動しながら室内空気を供給することによりなされ、加熱手段１０９の熱を吸熱器１０４に投入することにより乾燥するものである。そして、乾燥運転（除霜運転）は吸熱器１０４の温度が所定温度以上になるまで、あるいは所定時間が経過するまで続けられ、吸熱器１０４を乾燥する。その後、通常の除湿運転が行われる。そして所定時間経過後に、吸熱器の温度を検知して着霜状態か否かを判断し、着霜状態であれば、再び、乾燥運転（除霜運転）を行う。上記のような運転を繰り返す。このように、通常、冷凍サイクルで除霜を行う際に必要な、冷媒の流れを変える二方弁を使用しなくとも除霜が行える構成となっている。
【特許文献１】特開２００６−１５０３０５号公報
【発明の開示】
【発明が解決しようとする課題】
【０００５】
以上の例では、室内温度が低温状態であるなど着霜が起こりやすい条件では、乾燥運転（除霜運転）が終了後、再度着霜状態を判断するまでの所定時間の間に、吸熱器１０４の着霜が進み、吸熱器１０４が閉塞してしまう可能性があるという課題があった。また、吸熱器１０４の氷や霜が所定時間内に融けきらず、乾燥運転（除霜運転）、除湿運転を交互に繰り返しているうちに着霜が進み、吸熱器１０４が閉塞、氷により排水路が塞がれ結露水の漏洩、等の不具合の可能性があるという課題があった。
【０００６】
本発明は上記従来の課題を解決するものであり、着霜が起こりやすい条件では吸熱器１０４への着霜量を減少させ、乾燥運転（除霜運転）が開始された時に効率よく確実に除霜が行える信頼性の高い除湿装置を得ることを目的としている。
【課題を解決するための手段】
【０００７】
上記目的を達成するために本発明が講じた第１の課題解決手段は、冷媒を圧縮する圧縮機（１０１）と冷媒が供給空気に放熱する放熱器（１０２）と冷媒を膨張させて減圧する膨張機構（１０３）と冷媒が供給空気から吸熱する吸熱器（１０４）とを配管接続した蒸気圧縮式のヒートポンプ（１０５）と、駆動手段（２）によって回転し吸湿領域（１０６）では供給空気から吸湿するとともに放湿領域（１０７）では加熱されて水分を放出するデシカントローター（１０８）と、を備え、室内空気を放熱器（１０２）、放湿領域（１０７）、吸熱器（１０４）、吸湿領域（１０６）の順に供給し、除湿運転を行う除湿装置において、吸熱器（１０４）の着霜状態を予測する着霜予測手段（２７）を備え、着霜予測手段（２７）が吸熱器（１０４）の着霜を予測した時、吸熱器（１０４）の着霜量を抑制しながら除湿運転を行うものである。
【０００８】
そして、上記第１の課題解決手段による作用は、着霜予測手段（２７）により吸熱器（１０４）の着霜を予測し、予め吸熱器（１０４）の着霜を抑制しながら除湿運転を行うものである。
【０００９】
また、第２の課題解決手段は、上記第１の課題解決手段において、除湿量を低減することで吸熱器（１０４）の着霜量を抑制するものである。
【００１０】
そして、第２の課題解決手段による作用は、着霜予測手段（２７）により吸熱器（１０４）の着霜を予測した場合には、意図的に除湿量を低減させることにより吸熱器（１０４）への水分流入量を減少させ、吸熱器（１０４）表面での水分の氷結、着霜の量が抑制させるものである。
【００１１】
また、第３の課題解決手段は、上記第１または第２の課題解決手段において、放湿領域（１０７）を加熱する加熱手段（１０９）を備え、加熱手段（１０９）の出力を低減するものである。
【００１２】
そして、第３の課題解決手段による作用は、着霜予測手段（２７）により吸熱器（１０４）の着霜を予測した場合には、放湿領域（１０７）を加熱しデシカントローター（１０８）の放湿を担っている加熱手段（１０９）の出力を低減させることにより、デシカントローター（１０８）の放湿を抑制し、吸熱器（１０４）に流入する水分量を低減し吸熱器（１０４）での水分凝縮を減らし意図的に除湿量を低減させることにより着霜を抑制するものである。
【００１３】
また、第４の課題解決手段は、上記第１乃至第３のいずれかの課題解決手段において、吸熱器（１０４）に供給する空気の風量を増加させるものである。
【００１４】
そして、第４の課題解決手段による作用は、着霜予測手段（２７）により吸熱器（１０４）の着霜を予測した場合には、吸熱器（１０４）に供給する空気の風量を増加させることにより、吸熱器（１０４）での水分凝縮に適した風速より速い風速を与え、湿った空気を素通りさせる（いわゆるバイパスファクターを増加させる）ことにより、吸熱器（１０４）での水分凝縮を減らし意図的に除湿量を低減させることにより着霜を抑制するものである。
【００１５】
また、第５の課題解決手段は、上記第１乃至第４のいずれかの課題解決手段において、放熱器（１０２）の放熱量を減少させるものである。
【００１６】
そして、第５の課題解決手段による作用は、着霜予測手段（２７）により吸熱器（１０４）の着霜を予測した場合には、放熱器（１０２）の放熱量を減少させることにより、冷凍サイクルのサイクル圧力の低下を抑え、吸熱器（１０４）の過度の冷却を抑制することにより吸熱器（１０４）の着霜を抑制するものである。
【００１７】
また、第６の課題解決手段は、上記第５の課題解決手段において、室内空気を放熱器（１０２）、放湿領域（１０７）、吸熱器（１０４）、吸湿領域（１０６）の順に供給するメイン風路（７）と、室内空気を前記放熱器（１０２）に供給する第１バイパス風路（８）を備え、第１バイパス風路（８）の風量を減少させるものである。
【００１８】
そして、第６の課題解決手段による作用は、室内空気を放熱器（１０２）、放湿領域（１０７）、吸熱器（１０４）、吸湿領域（１０６）の順に供給するメイン風路（７）と、室内空気を放熱器（１０２）に供給する第１バイパス風路（８）を備え、着霜予測手段（２７）により吸熱器（１０４）の着霜を予測した場合には、第１バイパス風路（８）の風量を減少させることにより、放熱器（１０２）に供給される風量を減少し、放熱器（１０２）の放熱量減少させることにより、冷凍サイクルのサイクル圧力の低下を抑え、吸熱器（１０４）の過度の冷却を抑制することにより吸熱器（１０４）の着霜を抑制するものである。
【００１９】
また、第７の課題解決手段は、上記第６の課題解決手段において、メイン風路（７）と第１バイパス風路（８）に室内空気を供給する１つの送風手段（６）を備え、第１バイパス風路（８）に風路抵抗を付加するものである。
【００２０】
そして、第７の課題解決手段による作用は、メイン風路（７）と第１バイパス風路（８）に室内空気を供給する１つの送風手段（６）を備え、着霜予測手段（２７）により吸熱器（１０４）の着霜を予測した場合には、第１バイパス風路（８）に風路抵抗を付加することにより、放熱器（１０２）に供給される風量を減少させ冷凍サイクルのサイクル圧力の低下を抑え、吸熱器（１０４）の過度の冷却を抑えるとともに、送風手段（６）の回転数が上がり、メイン風路（７）では流れる風量が上昇し、吸熱器（１０４）に供給される風量が増えるので、吸熱器（１０４）での水分凝縮に適した風速より速い風速を与え、湿った空気を素通りさせる（いわゆるバイパスファクターを増加させる）ことにより、吸熱器（１０４）での水分凝縮を減らし意図的に除湿量を低減させることになり、吸熱器（１０４）の着霜を抑制するものである。
【００２１】
また、第８の課題解決手段は、上記第１乃至第７のいずれかの課題解決手段において、吸熱器（１０４）の前段に室内空気を直接取り入れる第２バイパス風路（１１）を有する除湿装置において、除霜運転時は第２バイパス風路（１１）の空気抵抗を調整することにより吸熱器（１０４）への空気供給量を減少させるものである。
【００２２】
そして、第８の課題解決手段による作用は、吸熱器（１０４）の前段に室内空気を直接取り入れる第２バイパス風路（１１）を有することにより放湿領域（１０７）から流出する高温多湿の空気に室内空気を混ぜることにより空気の温度を下げ、相対湿度を上げることにより吸熱器（１０４）での凝縮効率を向上させ、しかも吸湿領域（１０６）により多くの空気を流入させることによりデシカントローター（１０８）の吸放湿の効率を向上させることにより除湿効率を向上している除湿装置において、着霜予測手段（２７）により吸熱器（１０４）の着霜を予測した場合には、第２バイパス風路（１１）の空気抵抗を調整することにより前記吸熱器（１０４）への空気供給量を減少させることにより前述の除湿効率向上の作用を弱め、意図的に除湿量を低減させることになり吸熱器（１０４）の着霜を抑制するものである。
【００２３】
また、第９の課題解決手段は、上記第１乃至第８のいずれかの課題解決手段において、吸熱器（１０４）に付着した霜を取り除く除霜運転を備え、運転開始前に着霜予測手段（２７）が着霜状態を予測した場合は、運転開始時は、除霜運転から行うものである。
【００２４】
そして、第９の課題解決手段による作用は、吸熱器（１０４）に付着した霜を取り除く除霜運転を備え、運転開始前に着霜予測手段（２７）が着霜状態を予測した場合は、運転開始時は、除霜運転から行うことにより、着霜状態のまま再度運転した場合の吸熱器（１０４）の着霜量が通常より増加するのを抑制するものである。
【００２５】
また、第１０の課題解決手段は、上記第１乃至第７のいずれかの課題解決手段において、運転開始から所定時間経過後に吸熱器（１０４）の冷媒温度が所定温度以下であることを検知して着霜を判断する着霜判断手段（２６）を備え、運転開始前に着霜予測手段（２７）が着霜を予測した場合、運転後１回目の着霜判断手段（２６）の着霜判断までの所定時間を、２回目以降の着霜判断までの時間より短くするものである。
【００２６】
そして、第１０の課題解決手段による作用は、運転開始から所定時間経過後に吸熱器（１０４）の冷媒温度が所定温度以下であることを検知して着霜を判断する着霜判断手段（２６）を備えた除湿装置においては、着霜状態のまま運転停止している除湿装置を再度運転した場合、着霜判断手段（２６）の着霜判断までの時間が事実上長くなり、通常より吸熱器（１０４）の着霜量が増加する可能性があるが、運転開始前に着霜予測手段（２７）が着霜を予測した場合、運転後一回目の着霜判断手段の着霜判断までの所定時間を、２回目以降の着霜判断までの時間より短くすることにより吸熱器（１０４）での着霜量の極端な増加を抑制できるものである。
【００２７】
また、第１１の課題解決手段は、上記第９または第１０の課題解決手段において、圧縮機（１０１）を停止し、加熱手段（１０９）およびデシカントローター（１０８）を駆動し、室内空気を供給することにより除霜運転を行う除湿装置において、除霜運転時は前記デシカントローター（１０８）の駆動速度を遅くするものである。
【００２８】
そして、第１１の課題解決手段による作用は、圧縮機（１０１）を停止し、加熱手段（１０９）およびデシカントローター（１０８）を駆動し、室内空気を圧縮機（１０１）、放湿領域（１０７）、吸熱器（１０４）、吸湿領域（１０６）へと供給する除霜運転、つまり冷凍サイクルの動作を停止し吸熱器（１０４）の吸熱を止め、加熱手段（１０９）の熱量を吸熱器（１０４）に導入することにより吸熱器（１０４）に生成した氷や霜を融解する除霜運転において、除霜運転時はデシカントローター（１０８）の駆動速度を遅くすることにより、デシカントローター（１０８）に与えられた加熱手段（１０９）の熱量がデシカントローター（１０８）の回転により吸湿領域（１０６）に持ち込まれ、室内に放出されるという無駄を抑制し、無駄なく加熱手段（１０９）の熱量を吸熱器（１０４）に投入するものである。
【００２９】
また、第１２の課題解決手段は、上記第９乃至第１１のいずれかの課題解決手段において、圧縮機（１０１）を停止し、加熱手段（１０９）およびデシカントローター（１０８）を駆動し、室内空気を供給することにより除霜運転を行う除湿装置において、除霜運転時は吸熱器（１０４）への空気供給量を増加させるものである。
【００３０】
そして、第１２の課題解決手段による作用は、圧縮機（１０１）を停止し、加熱手段（１０９）およびデシカントローター（１０８）を駆動し、室内空気を圧縮機（１０１）、放湿領域（１０７）、吸熱器（１０４）、吸湿領域（１０６）へと供給する除霜運転、つまり冷凍サイクルの動作を停止し吸熱器（１０４）の吸熱を止め、加熱手段（１０９）の熱量を吸熱器（１０４）に導入することにより吸熱器（１０４）に生成した氷や霜を融解する除霜運転において、除霜運転時は吸熱器（１０４）への空気供給量を増加させることにより、吸熱器（１０４）での熱交換量を増加し、氷、霜の融解を促進するものである。
【００３１】
また、第１３の課題解決手段は、上記第８乃至第１３のいずれかの課題解決手段において、圧縮機（１０１）を停止し、加熱手段（１０９）およびデシカントローター（１０８）を駆動し、室内空気を供給することにより除霜運転を行う除湿装置において、除霜運転時は加熱手段（１０９）の加熱量を増加させるものである。
【００３２】
そして、第１３の課題解決手段による作用は、圧縮機（１０１）を停止し、加熱手段（１０９）およびデシカントローター（１０８）を駆動し、室内空気を圧縮機（１０１）、放湿領域（１０７）、吸熱器（１０４）、吸湿領域（１０６）へと供給する除霜運転、つまり冷凍サイクルの動作を停止し吸熱器（１０４）の吸熱を止め、加熱手段（１０９）の熱量を吸熱器（１０４）に導入することにより吸熱器（１０４）に生成した氷霜を融解する除霜運転において、除霜運転時は加熱手段（１０９）の加熱量を増加させることにより、吸熱器（１０４）への投入熱量を増加し、氷、霜の融解を促進するものである。
【００３３】
また、第１４の課題解決手段は、上記第１３の課題解決手段において、除霜運転に切り替わってから所定時間経過後に加熱手段（１０９）の加熱量を増加させるものである。
【００３４】
そして、第１４の課題解決手段による作用は、除霜運転に切り替わってから所定時間経過後に加熱手段（１０９）の加熱量を増加させることにより、まず、圧縮機（１０１）の駆動を停止し、ある程度吸熱器（１０４）の氷や霜が融解してから加熱手段（１０９）の加熱量を増加させるので、除湿運転中に吸熱器（１０４）に着霜し、氷や霜により通風抵抗が増し風量が減少しているところに急激に加熱量が増加することで加熱手段（１０９）周辺や風路に高温による不具合を発生させることなく、吸熱器（１０４）への投入熱量を増加し、氷、霜の融解を促進するものである。
【００３５】
また、第１５の課題解決手段は、上記第１乃至１４のいずれかの課題解決手段において、室内空気の温度または温湿度を検測定する測定手段（１２、１３）を備え、着霜予測手段（２７）は、測定手段（１２、１３）の測定値を元に前記吸熱器（１０４）の着霜を予測するものである。
【００３６】
そして、第１５の課題解決手段による作用は、室内空気の温度あるいは温湿度により、吸熱器（１０４）の着霜状態は予測できるので、室内空気の温度または温湿度を測定する測定手段（１２、１３）を備え、測定手段の測定値を元に前記吸熱器（１０４）の着霜を予測するものである。
【発明の効果】
【００３７】
本発明の請求項１記載の除湿装置は、着霜予測手段（２７）により、吸熱器（１０４）の着霜が予測された場合には、予め吸熱器（１０４）の着霜を抑制しながら除湿運転を行うことができ、吸熱器（１０４）の着霜による風路の閉塞、機器からの水漏れ等の不具合を起こすことがなく、信頼性の高い除湿装置を供給できるという効果を奏する。
【００３８】
また、本発明の請求項２記載の除湿装置は、着霜予測手段（２７）により、吸熱器（１０４）の着霜が予測された場合には、意図的に除湿量を低減させることにより吸熱器（１０４）への水分流入量を減少させ、吸熱器（１０４）表面での水分の氷結、着霜の量が抑制させながら除湿運転を行い、吸熱器（１０４）の着霜による風路の閉塞、機器からの水漏れ等の不具合を起こすことがなく、信頼性の高い除湿装置を供給できるという効果を奏する。
【００３９】
また、本発明の請求項３記載の除湿装置は、着霜予測手段（２７）により、吸熱器（１０４）の着霜が予測された場合には、放湿領域（１０７）を加熱しデシカントローター（１０８）の放湿を担っている加熱手段（１０９）の出力を低減させることにより、デシカントローター（１０８）の放湿を抑制し、除湿量を意図的に低減させることにより、吸熱器（１０４）の着霜を抑制しながら除湿運転を行い、吸熱器（１０４）の着霜による風路の閉塞、機器からの水漏れ等の不具合を起こすことがなく、信頼性の高い除湿装置を供給できるという効果を奏する。
【００４０】
また、本発明の請求項４記載の除湿装置は、着霜予測手段（２７）により吸熱器（１０４）の着霜を予測した場合には、吸熱器（１０４）に供給する空気の風量を増加させることにより、吸熱器（１０４）での水分凝縮に適した風速より速い風速を与え、湿った空気を素通りさせる（いわゆるバイパスファクターを増加させる）ことにより、吸熱器（１０４）での水分凝縮を減らし意図的に除湿量を低減させることにより着霜を抑制させながら除湿運転を行い、吸熱器（１０４）の着霜による風路の閉塞、機器からの水漏れ等の不具合を起こすことがなく、信頼性の高い除湿装置を供給できるという効果を奏する。
【００４１】
また、本発明の請求項５記載の除湿装置は、着霜予測手段（２７）により吸熱器（１０４）の着霜を予測した場合には、放熱器（１０２）の放熱量を減少させることにより、冷凍サイクルのサイクル圧力の低下を抑え、吸熱器（１０４）の過度の冷却を抑制することにより吸熱器（１０４）の着霜を抑制させながら除湿運転を行い、吸熱器（１０４）の着霜による風路の閉塞、機器からの水漏れ等の不具合を起こすことがなく、信頼性の高い除湿装置を供給できるという効果を奏する。
【００４２】
また、本発明の請求項６記載の除湿装置は、室内空気を放熱器（１０２）、放湿領域（１０７）、吸熱器（１０４）、吸湿領域（１０６）の順に供給するメイン風路（７）と、室内空気を前記放熱器（１０２）に供給する第１バイパス風路（８）を備え、着霜予測手段（２７）により吸熱器（１０４）の着霜を予測した場合には、第１バイパス風路（８）の風量を減少させることにより、放熱器（１０２）に供給される風量を減少し、放熱器（１０２）の放熱量を減少させることにより、冷凍サイクルのサイクル圧力の低下を抑え、吸熱器（１０４）の過度の冷却を抑制することにより吸熱器（１０４）の着霜を抑制させながら除湿運転を行い、吸熱器（１０４）の着霜による風路の閉塞、機器からの水漏れ等の不具合を起こすことがなく、信頼性の高い除湿装置を供給できるという効果を奏する。
【００４３】
また、本発明の請求項７記載の除湿装置は、メイン風路（７）と第１バイパス風路（８）に室内空気を供給する１つの送風手段（６）を備え、着霜予測手段（２７）により吸熱器（１０４）の着霜を予測した場合には、第１バイパス風路（８）に風路抵抗を付加することにより、放熱器（１０２）に供給される風量を減少させ冷凍サイクルのサイクル圧力の低下を抑え、吸熱器（１０４）の過度の冷却を抑えるとともに、送風手段の回転数が上がり、メイン風路（７）では流れる風量が上昇し、吸熱器（１０４）に供給される風量が増えるので、吸熱器（１０４）での水分凝縮に適した風速より速い風速を与え、湿った空気を素通りさせる（いわゆるバイパスファクターを増加させる）ことにより、吸熱器（１０４）での水分凝縮を減らし意図的に除湿量を低減させることになり、吸熱器（１０４）の着霜を抑制させながら除湿運転を行い、吸熱器（１０４）の着霜による風路の閉塞、機器からの水漏れ等の不具合を起こすことがなく、信頼性の高い除湿装置を供給できるという効果を奏する。
【００４４】
また、本発明の請求項８記載の除湿装置は、吸熱器（１０４）の前段に室内空気を直接取り入れる第２バイパス風路（１１）を有することにより放湿領域（１０７）から流出する高温多湿の空気に室内空気を混ぜることにより空気の温度を下げ、相対湿度を上げることにより吸熱器（１０４）での凝縮効率を向上させ、しかも吸湿領域（１０６）により多くの空気を流入させることによりデシカントローター（１０８）の吸放湿の効率を向上させることにより除湿効率を向上している除湿装置において、着霜予測手段（２７）により吸熱器（１０４）の着霜を予測した場合には、第２バイパス風路（１１）の空気抵抗を調整することにより前記吸熱器（１０４）への空気供給量を減少させることにより前述の除湿効率向上の作用を弱め、意図的に除湿量を低減させることになり吸熱器（１０４）の着霜を抑制させながら除湿運転を行い、吸熱器（１０４）の着霜による風路の閉塞、機器からの水漏れ等の不具合を起こすことがなく、信頼性の高い除湿装置を供給できるという効果を奏する。
【００４５】
また、本発明の請求項９記載の除湿装置は、吸熱器（１０４）に付着した霜を取り除く除霜運転を備え、運転開始前に着霜予測手段（２７）が着霜状態を予測した場合は、運転開始時は、除霜運転から行うことにより、着霜状態のまま運転停止している除湿装置を再度運転した場合の吸熱器（１０４）の着霜量が通常より増加するのを抑制することにより吸熱器（１０４）の着霜による風路の閉塞、機器からの水漏れ等の不具合を起こすことがなく、信頼性の高い除湿装置を供給できるという効果を奏する。
【００４６】
また、本発明の請求項１０記載の除湿装置は、運転開始から所定時間経過後の吸熱器（１０４）の冷媒温度が所定温度以下であることを検知して着霜を判断する着霜判断手段（２６）を備えた除湿装置においては、着霜状態のまま運転停止している除湿装置を再度運転した場合、着霜判断手段（２６）の着霜判断までの時間が事実上長くなり、通常より吸熱器（１０４）の着霜量が増加する可能性があるが、運転開始前に着霜予測手段（２７）が着霜を予測した場合、運転後１回目の着霜判断手段（２６）の着霜判断までの所定時間を、２回目以降の着霜判断までの時間より短くすることにより、吸熱器（１０４）での着霜量の極端な増加を抑制でき、除霜運転時に確実に除霜が完了することができるので吸熱器（１０４）の着霜による風路の閉塞、機器からの水漏れ等の不具合を起こすことがなく、信頼性の高い除湿装置を供給できるという効果を奏する。
【００４７】
また、本発明の請求項１１記載の除湿装置は、圧縮機（１０１）を停止し、加熱手段（１０９）およびデシカントローター（１０８）を駆動し、室内空気を圧縮機（１０１）、放湿領域（１０７）、吸熱器（１０４）、吸湿領域（１０６）へと供給する除霜運転、つまり冷凍サイクルの動作を停止し吸熱器（１０４）の吸熱を止め、加熱手段（１０９）の熱量を吸熱器（１０４）に導入することにより吸熱器（１０４）に生成した氷霜を融解する除霜運転において、除霜運転時はデシカントローター（１０８）の駆動速度を遅くすることにより、デシカントローター（１０８）に与えられた加熱手段（１０９）の熱量がデシカントローター（１０８）の回転により吸湿領域（１０６）に持ち込まれ、室内に放出されるという無駄を抑制し、無駄なく加熱手段（１０９）の熱量を吸熱器（１０４）に投入することにより効率的に除霜運転が可能となり確実に除霜が完了することができるので吸熱器（１０４）の着霜による風路の閉塞、機器からの水漏れ等の不具合を起こすことがなく、信頼性の高い除湿装置を供給できるという効果を奏する。
【００４８】
また、本発明の請求項１２記載の除湿装置は、圧縮機（１０１）を停止し、加熱手段（１０９）およびデシカントローター（１０８）を駆動し、室内空気を圧縮機（１０１）、放湿領域（１０７）、吸熱器（１０４）、吸湿領域（１０６）へと供給する除霜運転、つまり冷凍サイクルの動作を停止し吸熱器（１０４）の吸熱を止め、加熱手段（１０９）の熱量を吸熱器（１０４）に導入することにより吸熱器（１０４）に生成した氷霜を融解する除霜運転において、除霜運転時は吸熱器（１０４）への空気供給量を増加させることにより、吸熱器（１０４）での熱交換量を増加し、氷、霜の融解を促進することにより効率的に除霜運転が可能となり確実に除霜が完了することができるので吸熱器（１０４）の着霜による風路の閉塞、機器からの水漏れ等の不具合を起こすことがなく、信頼性の高い除湿装置を供給できるという効果を奏する。
【００４９】
また、本発明の請求項１３記載の除湿装置は、圧縮機（１０１）を停止し、加熱手段（１０９）およびデシカントローター（１０８）を駆動し、室内空気を圧縮機（１０１）、放湿領域（１０７）、吸熱器（１０４）、吸湿領域（１０６）へと供給する除霜運転、つまり冷凍サイクルの動作を停止し吸熱器（１０４）の吸熱を止め、加熱手段（１０９）の熱量を吸熱器（１０４）に導入することにより吸熱器（１０４）に生成した氷や霜を融解する除霜運転において、除霜運転時は前記加熱手段（１０９）の加熱量を増加させることにより、吸熱器（１０４）への投入熱量を増加し、氷、霜の融解を促進することにより効率的に除霜運転が可能となり確実に除霜が完了することができるので吸熱器（１０４）の着霜による風路の閉塞、機器からの水漏れ等の不具合を起こすことがなく、信頼性の高い除湿装置を供給できるという効果を奏する。
【００５０】
また、本発明の請求項１４記載の除湿装置は、除霜運転に切り替わってから所定時間経過後に加熱手段（１０９）の加熱量を増加させることにより、まず、圧縮機（１０１）の駆動を停止し、ある程度吸熱器（１０４）の氷や霜が融解してから加熱手段（１０９）の加熱量を増加させるので、除湿運転中に吸熱器（１０４）に着霜し、氷や霜により通風抵抗が増し風量が減少しているところに急激に加熱量が増加することで加熱手段（１０９）周辺や風路に高温による不具合を発生させることなく、吸熱器（１０４）への投入熱量を増加し、氷、霜の融解を促進することができるので吸熱器（１０４）の着霜による風路の閉塞、機器からの水漏れ等の不具合を起こすことがなく、信頼性の高い除湿装置を供給できる。
【００５１】
また、本発明の請求項１５記載の除湿装置は、室内空気の温度または温湿度を測定する測定手段（１２、１３）を備え、測定手段（１２、１３）の測定値を元に前記吸熱器（１０４）の着霜を予測するので、運転を開始する前でも吸熱器（１０４）の着霜を予測でき、それに対応して着霜を抑制しながら運転を行うことができ、吸熱器（１０４）の着霜による風路の閉塞、機器からの水漏れ等の不具合を起こすことがなく、信頼性の高い除湿装置を供給できるという効果を奏する。
【発明を実施するための最良の形態】
【００５２】
以下、本発明の実施の形態について図面を参照しながら説明する。
【００５３】
（実施の形態１）
以下、本発明の実施の形態１を図１〜７に基づいて説明する。
【００５４】
図１は、本発明の実施形態にかかる除湿装置の概略構成を示す簡易的な模式図ある。図１に示すように、この除湿装置は本体１内に、圧縮機１０１、放熱器１０２、膨張機構１０３、吸熱器１０４を配管接続し密閉回路を形成している。この密閉回路内に作動流体である冷媒として例えば、ＨＣＦＣ系冷媒（分子中に塩素、水素、フッ素、炭素の各原子を含む）、ＨＦＣ系冷媒（分子中に水素、炭素、フッ素の各原子を含む）、炭化水素、二酸化炭素等の自然冷媒などの何れかを充填して蒸気圧縮式のヒートポンプ１０５を形成している。吸熱器１０４および放熱器１０２は、ヘアピンチューブに複数枚のフィンを嵌入して空気流通を可能に構成したフィンチューブ型の熱交換器で構成され、吸熱器１０４と放熱器１０２を接続する配管中には膨張機構１０３として、例えば、キャピラリチューブや膨張弁等を介在させている。ここで、放熱器１０２は冷凍サイクルにおける、いわゆる凝縮器であり、吸熱器１０４は、いわゆる蒸発器である。
【００５５】
また、供給空気から吸湿する吸湿領域１０６および供給空気に対して放湿する放湿領域１０７を有するデシカントローター１０８を設けている。デシカントローター１０８は回動可能に立設されており、このデシカントローター１０８を周方向に毎時１０回転から４０回転程度の速度で回転させる駆動手段２をデシカントローター１０８の外周側に配設している。この駆動手段２は、デシカントローター１０８の外周に形設されたギアと、このギアと歯合する駆動モータを備えており、駆動モータの作動によってギアに回転力を加え、デシカントローター１０８を回転させるように動作するものである。このデシカントローター１０８は、軸方向に通風可能なハニカム構造もしくはコルゲート構造の円筒構造体に、シリカゲル、ゼオライトなどの無機質の吸着型吸湿剤、あるいは有機高分子電解質（イオン交換樹脂）などの吸湿剤、もしくは塩化リチウムなどの吸収型吸湿剤を１種類若しくは複数担持して構成されており、周囲の環境に応じて吸湿量が変化する特性を有している。
【００５６】
また、加熱手段１０９はデシカントローター１０８の放湿領域１０７に近接して配設されており、この加熱手段１０９の発熱によってデシカントローター１０８に供給される空気およびデシカントローター１０８自身が加熱されることになる。この加熱手段１０９は発熱動作を行い得るものであれば良く、例えば、ニクロムヒーター、ハロゲンヒーター、カーボンヒーター、シーズヒーター、ＰＴＣヒーター等を用いることができるが、輻射熱成分を多く放散する形式のものがデシカントローター１０８を直接高温に加熱して効率良く水分を放出させることが可能となり好ましい。
【００５７】
このデシカントローター１０８は駆動手段２によって回転しているので、デシカントローター１０８に担持されている吸湿剤は、吸湿領域１０６と放湿領域１０７を連続的に移動し、吸湿領域１０６における吸湿動作と放湿領域１０７における水分放出動作を連続的に行うことになる。
【００５８】
そして、本体１には吸込口３と第１吹出口４および第２吹出口５を開口し、送風手段６の運転によって、室内空気を吸込口３より本体１内に導入している。本体１内に供給された室内空気が、放熱器１０２、加熱手段１０９、放湿領域１０７、吸熱器１０４、吸湿領域１０６に順に供給されて第１吹出口４より本体１外部に流出するメイン風路７と、吸込口３から導入された室内空気が、放熱器１０２に供給されて、第１吹出口４より本体１外部に流出する第１バイパス風路８を形成している。この送風手段６は、ケース内で羽根が回転駆動することにより送風するいわゆるシロッコファンとして構成されている。本実施例では、送風手段は、ケースにファン吸込口を２つ開口するとともに主板の両側にブレードを有し、２つの風路から吸込み、それぞれのブレードからの送風が混ざらないように吹出すことにより、１つの送風手段にて２つの風路から吸込み、それぞれ別々に吹き分ける構成としている。そして、メイン風路７には吹出口を切換える吹出口ダンパー９を設け、メイン風路７から室内に供給される空気が第１吹出口４から流出するか第２吹出口５から流出するかの切換を可能にしている。
【００５９】
吸込口３から吸引された空気は、放熱器１０２により加熱され、さらに加熱手段１０９により加熱され高温となってデシカントローター１０８の放湿領域１０７に供給され、その後、吸熱器１０４を通過し冷却され、デシカントローター１０８の吸湿領域１０６に供給される。このデシカントローター１０８に担持されている吸湿剤は、相対的に湿度が高く温度の低い空気から吸湿し、相対的に湿度が低く温度の高い空気に水分を放出する特性を有しているので、放湿領域１０７において加熱された高温空気と接触することにより水分を放出して再生し、吸湿領域１０６において吸熱器１０４により冷却された空気から吸湿することになる。このデシカントローター１０８は駆動手段２によって回転しているので、デシカントローター１０８に担持されている吸湿剤は、吸湿領域１０６と放湿領域１０７を連続的に移動し、吸湿領域１０６における吸湿動作と放湿領域１０７における水分放出動作を連続的に行うことになる。放湿領域１０７において放出された水分を含んだ空気は、高温高湿状態となり風下側に配設された吸熱器１０４に供給される。この高温高湿空気はエンタルピーも上昇しているので、吸熱器１０４内の冷媒とのエンタルピー差が拡大して高効率な吸熱動作が行われ、供給空気は飽和温度以下まで冷却される。この冷却過程で飽和した水分は結露水として下方に滴下し、図示しないドレンパンで受け止められた後に本体１の下部に配設された排水タンク１０に貯留される。
【００６０】
一方、吸湿領域１０６には、吸熱器１０４によりその飽和温度以下まで冷却され、相対湿度が高い状態（ほぼ飽和状態）となった空気が供給される。上述したようにデシカントローター１０８に担持されている吸湿剤は、相対的に湿度が高く温度の低い空気から吸湿し、相対的に湿度が低く温度の高い空気に水分を放出する特性を有しているので、放湿領域１０７を通過する空気と吸湿領域１０６を通過する空気の相対湿度差を拡大させることができ、高効率な吸放湿動作を行うことができる。
【００６１】
さらに吸熱器１０４に直接室内空気を供給する第２バイパス風路１１を形成している。メイン風路７の吸熱器１０４の上流に室内空気を混合することにより、吸熱器１０４に流入する空気の温度を下げ、相対湿度を増加させることができ水分凝縮を促進することができる。また、その下流のデシカントローター１０８の吸湿領域１０６に流入する空気量を増やすことになり、デシカントローター１０８の吸湿量を増加させることができるので、吸放湿の効率が良くなる。これにより、さらに高効率な除湿運転が可能となる。また、吸込口３の開口部近傍には、吸込口３から吸引される空気の温度を検出する室温センサー１２と空気の湿度を検出する湿度センサー１３が配設されており、吸熱器１０４および放熱器１０２の側部配管には、蒸発温センサー１４および凝縮温センサー１５が各々着設されている。室温センサー１２、蒸発温センサー１４、凝縮温センサー１５の各センサーにはサーミスタ等が一般的に用いられる。湿度センサー１３としては、高分子湿度センサーなどがある。これら室温センサー１２、湿度センサー１３、蒸発温センサー１４、凝縮温センサー１５の検出値は図示しない制御手段に出力するように構成されている。
【００６２】
また、第１バイパス風路８の送風手段６の吸込口近傍に風路抵抗として第１バイパス風路ダンパー１６を備えている。この第１バイパス風路ダンパー１６は、例えば、ダンパーをモータで動かすような構成を用いており、任意に風路抵抗の大きさを変更可能に構成されている。そして、ダンパーの駆動により風路抵抗を変更し、風量を調整することが可能となる。さらに、第２バイパス風路１１の吸熱器１０４上流の近傍にも風路抵抗として第２バイパス風路ダンパー１７を備えている。こちらも、ダンパーをモータで動かすような構成を用いており、任意に風路抵抗の大きさを変更可能に構成されており、任意に風量を調整することができる。このような構成とすることにより、送風手段６の出力を変更させずとも、各風路に流れる風量を変更することが可能となる。なお、本実施例では風路抵抗を、ダンパーをモータで駆動する構成としたが、この構成に限ったものではなく、風路抵抗を可変できる構成であればよく、その他の構成としても作用効果に差異はない。
【００６３】
図２は、除湿装置の制御ブロック図である。図に示すようにマイクロコンピュータから構成される制御手段１８が、室温センサー１２、湿度センサー１３、蒸発温センサー１４、凝縮温センサー１５の各々の検出値および操作部１９の運転指示を入力して、圧縮機１０１、送風手段６、駆動手段２、加熱手段１０９、吹出口ダンパー９、第１バイパス風路ダンパー１６および第２バイパス風路ダンパー１７の各々の作動指示を出力することにより除湿装置の運転を制御するように構成されている。
【００６４】
図３は、操作部１９の概略構成を示す図である。図に示すように操作部１９には、複数の操作ボタンおよび表示ランプが配列されている。操作ボタン２０は、除湿装置の主電源の入切スイッチであり、この操作ボタン２０を「入」にして除湿装置の運転が可能となる。また、操作ボタン２１は、運転切換スイッチであり、この操作ボタン２１を操作することにより、「除湿乾燥モード」、「自動除湿モード」、「冷風除湿モード」の三種類の除湿モードを選択できる。この除湿モードの選択状態は操作ボタン２１の上部にある表示ランプの点灯状況によって確認することができる。また、操作ボタン２２は、除湿装置のタイマー運転を設定するスイッチであり、操作ボタン２２の操作により、２時間後、４時間後、８時間後に除湿装置の運転を停止させることができる。この切タイマー選択状態は、操作ボタン２２の上部にある表示ランプの点灯状況によって確認することができる。また、表示部２３は、本体１が設置されている空間の湿度状態を表示するもので、湿度センサー１３の検出値に基づいて、高湿状態、適湿状態、低湿状態の３段階の表示を行うものである。また、表示ランプ２４は、排水タンク１０が満水もしくは未設置の場合に点灯して報知するためのものであり、表示ランプ２５は、異常温度上昇などの異常が検出された場合に点滅して異常報知を行うものである。
【００６５】
図４は、各々の除湿モードにおける制御動作を示す一覧表である。この一覧表に示した制御動作を実行するように制御手段１８にプログラミングされている。図に示すように操作ボタン２１により「除湿乾燥モード」が選択された場合は、制御手段１８が、圧縮機１０１、送風手段６、駆動手段２および加熱手段１０９を作動させるとともに、吹出口ダンパー９を図１中の実線位置に設定し、第１バイパス風路ダンパー１６を風路抵抗が少なくなる位置に、第２バイパス風路ダンパー１７を風路抵抗が少なくなる位置に設定する。そして送風手段６の運転により第１バイパス風路８では室内空気は、吸込口３から本体１内に吸引され、放熱器１０２に供給され冷媒の放熱により加熱されて温度が上昇し、第１吹出口４から本体１外部に排出される。また、メイン風路７では室内空気は吸込口３から本体１内に吸引され、放熱器１０２にて冷媒の放熱により加熱されてデシカントローター１０８の放湿領域１０７に流入する。放湿領域１０７に流入した空気は、加熱手段１０９で二百度以上にさらに加熱された高温空気となってデシカントローター１０８に供給され、デシカントローター１０８が吸湿領域１０６において吸湿した水分の放出を促してデシカントローター１０８を再生する。デシカントローター１０８からの放出水分を含んだ高湿の空気はエンタルピーが上昇し下流にある吸熱器１０４に供給される。この吸熱器１０４では高エンタルピー状態の空気が冷媒の吸熱によって冷却され、冷却過程で飽和した水分は排水タンク１０に回収される。吸熱器１０４で冷却され低温で相対湿度が高くなった空気は、デシカントローター１０８の吸湿領域１０６に供給され水分の吸着がなされる。そして、吹出口ダンパー９が第１吹出口４と連通させる図１中の実線の切換位置に設定されているため、メイン風路７から吹出す空気は第１バイパス風路８から吐出された空気とともに第１吹出口４から本体１外部に排出される。このようにして「除湿乾燥モード」では、デシカントローター１０８とヒートポンプ１０５を組み合せた除湿運転を実現しており、除湿能力が高く排気温度も高温になるので洗濯物等を素早く乾燥することができる。
【００６６】
また、操作ボタン２１により「自動除湿モード」が選択された場合は、室温センサー１２の検出値Ｔｒおよび湿度センサー１３の検出値Ｈｒによって場合分けされる。まず、湿度センサー１３の検出値Ｈｒが高湿、例えば４０％以上で且つ室温センサー１２の検出値Ｔｒが低温、例えば１５℃未満の場合、前述した「除湿乾燥モード」と同じ除湿運転が実行される。このような周囲の環境湿度、即ち湿度センサー１３の検出値Ｈｒが高く、周囲の環境温度、即ち室温センサー１２の検出値Ｔｒが低い場合は、除湿負荷が大きく且つヒートポンプ１０５のみの除湿では吸熱器１０４内の冷媒とのエンタルピー差が小さく除湿能力が確保し難い状況と判断し、ヒートポンプ１０５の冷却除湿とデシカントローター１０８の吸放湿作用を組み合せた除湿運転を実行することによって除湿能力を増加し速やかに除湿を行うように制御する。
【００６７】
また、湿度センサー１３の検出値Ｈｒが低湿、例えば４０％未満の場合、あるいは湿度センサー１３の検出値Ｈｒが４０％以上の高湿でも室温センサー１２の検出値Ｔｒが高温、例えば１５℃以上の場合は、圧縮機１０１、送風手段６、駆動手段２を作動させ、加熱手段１０９の作動を停止する除湿運転を実行する。これにより加熱手段１０９に要する電力を削除でき、省エネルギーでの除湿運転が行われる。すなわち送風手段６の運転により第１バイパス風路８では吸込口３から本体１内に吸引された空気は、放熱器１０２に供給され冷媒の放熱により加熱されて温度が上昇し、第１吹出口４から本体１外部に排出される。
【００６８】
また、メイン風路７では本体１内に吸引された空気は、放熱器１０２に供給され冷媒の放熱により加熱されたあと、デシカントローター１０８の放湿領域１０７に流入する。放熱器１０２により加熱された空気が、デシカントローター１０８が吸湿領域１０６において吸湿した水分の放出を促してデシカントローター１０８を再生する。デシカントローター１０８からの放出水分を含んだ高湿の空気はエンタルピーが上昇し下流にある吸熱器１０４に供給される。そして冷媒の吸熱により冷却されて水分を除去された後、デシカントローター１０８の吸湿領域１０６に供給される。吸熱器１０４で冷却され低温で相対湿度が高くなった空気は、デシカントローター１０８の吸湿領域１０６に供給され水分の吸着がなされる。そして、吹出口ダンパー９が第１吹出口４と連通させる切換位置に設定されているため、メイン風路７から吹出す空気は第１バイパス風路８から吐出された空気とともに第１吹出口４から本体１外部に排出される。この除湿運転ではヒートポンプ１０５の除湿能力は室温条件に大きく依存するものであり、温度が高くなるに従って除湿能力は増加する傾向を示すため、周囲環境湿度、即ち、湿度センサー１３の検出値Ｈｒが低い場合、あるいは周囲環境湿度、即ち、湿度センサー１３の検出値Ｈｒが高くても周囲の環境温度、即ち室温センサー１２の検出値Ｔｒが高い場合は、除湿負荷が小さい状況あるいは除湿負荷が大きくても除湿能力が確保できる状況と判断する。そして、加熱手段１０９を作動し放湿領域１０７の水分放出を促進せずとも除湿能力を確保できるので、加熱手段１０９を作動しない除湿運転を実行することによって加熱手段１０９に投入するエネルギーを削減して効率の良い除湿を行うように制御する。
【００６９】
また、操作ボタン２１により「冷風除湿モード」が選択された場合は、圧縮機１０１、送風手段６を作動させ、駆動手段２および加熱手段１０９は停止させ、吹出口ダンパー９を図１中点線の切換位置にする除湿運転が実行される。送風手段６の運転により第１バイパス風路８では吸込口３から本体１内に吸引された空気は、放熱器１０２に供給され冷媒の放熱により加熱されて温度が上昇し、第１吹出口４から本体１外部に排出される。また、メイン風路７では本体１内に吸引された空気は、放熱器１０２に供給され冷媒の放熱により加熱されたあと、デシカントローター１０８の放湿領域１０７に流入する。ここでデシカントローター１０８は駆動を停止しているので空気は温度、湿度とも変化せず通り抜ける。そして下流にある吸熱器１０４に供給され冷媒の吸熱により冷却されて水分を除去された後、デシカントローター１０８の吸湿領域１０６に供給される。ここでもデシカントローター１０８の駆動は停止しているので水分の吸放湿は行われず空気は素通りする。そして、吹出口ダンパー９が第２吹出口５と連通させる点線の切換位置に設定されているため、メイン風路７から吹出す空気は第１バイパス風路８から吐出された空気とは混合しないで、第２吹出口５から本体１外部に排出される。したがって第１吹出口４からは放熱器１０２で加熱された高温の空気が排出され、第２吹出口５からは吸熱器１０４で冷却減湿された低温低湿の空気が排出される。この低温の空気により使用者が第２吹出口５側に位置する場合には冷風感を得ることができ、逆に使用者が第１吹出口４側に位置すれば高温空気による温風感を得ることができる。この第２吹出口５と第１吹出口４は本体１の異なる面に開口されているので、第２吹出口５から排出される低温空気と第１吹出口４から排出される高温空気が混ざりにくくなり、第１吹出口５から冷却された低温空気のみを供給する「冷風除湿モード」において使用者がより冷風感を得ることができる。
【００７０】
また、使用環境温度によっては、たとえば室内温度が低温であったり低湿であったりする場合、吸熱器１０４に供給される空気のエンタルピーが減少し吸熱器１０４での着霜現象が発生し除湿能力が大きく低下することになる。そこで吸熱器１０４の側部配管に具設した蒸発温センサー１４の検出値Ｔｅにより着霜状態を判断する着霜判断手段２６を備え、検出値Ｔｅが０．５℃未満となった場合には、吸熱器１０４の着霜状態を判断し、圧縮機１０１を停止させるとともに駆動手段２および加熱手段１０９を作動して除霜運転を行う。この除霜運転は、圧縮機１０１の停止により吸熱器１０４での吸熱動作を停止して吸熱器１０４の温度を上昇させ、さらに駆動手段２と加熱手段１０９の作動によりデシカントローター１０８を介して加熱手段１０９の熱を送風手段６により送風される空気に与えて高温にして吸熱器１０４に供給することで吸熱器１０４に付着した霜を速やかに溶解して除去するものである。ここでデシカントローター１０８の回転が停止したままだと加熱手段１０９の発熱がデシカントローター１０８の一部に常に供給され続けるため、デシカントローター１０８の温度が上昇し過ぎて吸湿剤が劣化してしまうため、駆動手段２によりデシカントローター１０８を回転させて吸湿領域１０６を利用してデシカントローター１０８を冷却するようにしている。
【００７１】
また、デシカントローター１０８の回転速度を遅くするように制御している。これにより、デシカントローター１０８に与えられた加熱手段１０９の熱量がデシカントローター１０８の回転により吸湿領域１０６に持ち込まれ、室内に放出されるという無駄を抑制し、無駄なく加熱手段１０９の熱量を吸熱器１０４に投入することにより効率的に除霜運転が可能となり確実に除霜が完了することができる。このデシカントローター１０８の回転速度は、上記のように熱の無駄を少なくできればよく、例えば、通常運転時の半分の回転速度が適当である。
【００７２】
また、除霜運転時に加熱手段１０９の出力を増加させるよう制御している。これによりより多くの熱を吸熱器１０４に投入できるので、速やかに確実に吸熱器１０４の霜を溶解することができる。
【００７３】
さらに、第１バイパス風路ダンパー１６を風路抵抗が大きくなるように調整している。本実施例のように、１つの送風手段６で２つの風路を吹き分ける構成とした場合、一方の風路に抵抗をかけた場合、抵抗が増加した方の風量は減少するが、もう一方の風路の風量は増加するという傾向になる。上記のように第１バイパス風路８に抵抗を加えた場合、メイン風路７の風量が増加することになるので、吸熱器１０４に流入する空気が増加することになる。そして吸熱器１０４での熱交換量が増加し、吸熱器１０４に付着した氷や霜をすばやく溶解する一助となる。また、第２バイパス風路ダンパー１７を風路抵抗が大きくなるように調整している。これにより、室内空気をそのまま吸熱器１０４に供給する風量を減少し、吸熱器１０４に流入する空気の内、メイン風路７の空気の割合を多くすることにより、吸熱器１０４に流入する空気の温度を高く保つことになる。そして、吸熱器１０４に付着した氷や霜をすばやく溶解し、除去することになる。
【００７４】
その後、吸熱器１０４の霜が完全に除去されて蒸発温センサー１４の検出値Ｔｅが所定値、例えば０℃以上に回復したら、または、除霜運転が所定時間、例えば１０分間動作したら、再び圧縮機１０１を動作させ、所定の運転モードで運転を再開するようにしている。ここで除霜運転の間は室内空気を除湿していないことになる。通常、実質の除湿運転時間が全運転時間の７０％以上になるように設定するので、除霜運転を最大１０分行うならば、通常の除湿運転は２５分以上行うように設定する。なお、この除湿運転時間、除霜運転時間は上記に限ったものではない。
【００７５】
また、吸熱器１０４の着霜が予測される場合、予め吸熱器１０４への着霜を抑制しておき、除霜運転に切り替わった時に速やかに除霜が完了するように「着霜抑制モード」を備えている。上記したように、通常の除湿運転を２５分以上行うため、除湿運転開始後から、あるいは除霜運転が終了して除湿運転に切り替わってから、２５分経過後に吸熱器１０４の着霜を判断する制御になっている。この場合、使用環境温度が着霜になる温度であれば、この２５分間は、吸熱器において着霜が常に進行する状態となる。そして、大量に着霜した場合、吸熱器の閉塞などの不具合を起こす可能性がある。
【００７６】
そこで、使用環境温度から着霜を予測する着霜予測手段２７を備え、着霜が予測された場合、予め吸熱器１０４の着霜を抑制しているのである。この場合、除霜運転の時に確実に除霜が完了するように、吸熱器１０４に付着する着霜量を減少することが目的となる。例えば、室内温度Ｔｒが９℃未満を検出した場合、着霜状態になると予測し、「着霜抑制モード」で運転を行う。この「着霜抑制モード」では、圧縮機１０１、送風手段６、駆動手段２を作動させ、加熱手段１０９の出力を低減して除湿運転を実行する。着霜量を低減するためには、意図的に吸熱器１０４に流入する空気の水分量を低減させることが効果的であり、デシカントローター１０８の吸放湿を意図的に低減すればよい。すなわち、加熱手段１０９の出力を低下させ、放湿領域１０７でのデシカントローター１０８の水分放出を低減させることにより、吸熱器１０４への水分流入を制限している。これにより、吸熱器１０４の着霜量が抑制されることになる。
【００７７】
さらに、第１バイパス風路ダンパー１６を第１バイパス風路８の風路抵抗が大きくなるように作動することにより、第１バイパス風路８に流れる風量を減少させ、ヒートポンプ１０５において、放熱器１０２の放熱量を減少させることにより、吸熱器１０４での吸熱量を減少させ、吸熱器１０４の温度低下を抑制することにより、着霜量を抑制させることになる。本実施例のように、１つの送風手段６で２つの風路を吹き分ける構成とした場合、一方の風路抵抗を増加した場合、抵抗を増加した方の風量は減少するが、もう一方の風路の風量は増加するという傾向になる。上記のように第１バイパス風路８に抵抗を加えた場合、メイン風路７の風量が増加することになるので、吸熱器１０４での水分凝縮に適した風速より速い風速を与え、湿った空気を素通りさせる（いわゆるバイパスファクターを増加させる）ことにより、吸熱器１０４での水分凝縮を減らし意図的に除湿量を低減させることにより着霜を抑制させている。
【００７８】
また、第２バイパス風路ダンパー１７を第２バイパス風路１１の風路抵抗が大きくなるように作動させることにより、第２バイパス風路１１に流れる風量を減少させ、上述した第２バイパス風路１１の除湿能力を向上する作用を抑制することにより、着霜量を減少させている。このように、「着霜抑制モード」では、着霜が予測された場合に、除霜運転にそなえ、予め着霜量を抑制するので、除霜運転時に効率よく、確実に除霜が行えるのである。
【００７９】
なお、着霜を予測する温度や、着霜状態を判断する温度は、構成するシステムによって異なるので、そのシステムに合致した温度を設定する必要がある。なお、本実施例ではメイン風路７、第１バイパス風路８の風量を調整するのにダンパー構造を用いたが、風量の調整ができればよいので、例えば、送風機をそれぞれの風路に各々設け、それぞれの送風機の出力を調整することで風量を調整する構成としても良い。
【００８０】
以上のように各々の除湿モードに応じて制御手段１８が、圧縮機１０１、送風手段６、駆動手段２、加熱手段１０９、吹出口ダンパー９、第１バイパス風路ダンパー１６、第２バイパス風路ダンパー１７を制御し、運転を適切に切換えることにより、使用環境や使用者の好みに応じた多様な運転形態を実現している。
【００８１】
第５図は、除霜運転時の運転状況を説明するために、室内温度が９℃未満の時の運転状況を圧縮機１０１、加熱手段１０９の動作と加熱手段１０９の温度との関係から示したグラフである。室内温度が９℃未満である場合、着霜予測手段２７は、着霜を予測することになる。その場合、本実施例では、まず除霜運転から開始するよう制御する。例えば、吸熱器１０４に着霜した状態で運転を停止した直後に再度運転を行った場合、吸熱器１０４に氷や霜が付着した状態から運転を開始することになる。ここで、通常の除湿運転を行うと更に着霜が進行してしまい、除霜運転で取り除ける着霜量を超えて着霜が進行することが考えられる。この場合、吸熱器１０４の閉塞によりメイン風路７の風量が減ることによる加熱手段１０９の異常過熱や、排水口の閉塞などによる水漏れ、などの不具合の可能性がある。
【００８２】
これらを防ぐため、上述のように、着霜予測手段２７が着霜を予測した場合は、まず除霜運転から開始する制御としている。そして、１０分間除霜運手を行った後、除湿運転に切り替わる。ここで室内温度が９℃未満であるので、「着霜抑制モード」で運転する。第４図で説明したとおり、圧縮機１０１、送風手段６、駆動手段２を作動し、加熱手段１０９はＬｏ出力で作動する。着霜を抑制しながら除湿運転を行っているが、吸熱器１０４の温度は０℃以下となるので、着霜は徐々に進行していく。吸熱器１０４に氷や霜が徐々に付着するので、吸熱器１０４の風路抵抗が増加し、メイン風路７の風量が減少する。そして加熱手段１０９の温度は徐々に高くなってくる。この「着霜抑制モード」での除湿運転を２５分行った時、蒸発温センサー１４による検出値Ｔｅが０．５℃以下であれば、着霜状態を判断する。そして再び除霜運転が開始される。
【００８３】
除霜運転では、第４図で説明したように、圧縮機１０１の停止し、送風手段６、駆動手段２を作動し、加熱手段１０９の出力を増加させるよう制御する。ここで、加熱手段１０９の出力の増加は除霜運転に切り替わってから所定の時間、本実施例では３分経過後に行われる。「着霜抑制モード」で除湿運転中に吸熱器１０４の風路抵抗が増え、加熱手段１０９の温度が上昇している状態から除霜運転に切り替わり、加熱手段１０９の出力を増加させると、急激に加熱手段１０９の温度が上昇し、周囲部品の耐熱温度を超えてしまうという不具合が発生する可能性がある。これを防止するために、上述のように加熱手段１０９の出力増加を３分経過後に行う。これにより、除霜運転に切り替わり圧縮機１０１が停止したことにより、ある程度吸熱器１０４の氷や霜が溶解し、風路抵抗が減少し、加熱手段１０９の温度が低下してから加熱手段１０９の出力を増加させることができ、急激な温度上昇が抑えられ、周囲部品の耐熱温度を超えて過熱されることがない。しかも除霜運転中の吸熱器１０４への流入熱量を増やせるので迅速に確実に吸熱器１０４の氷や霜を溶解することができる。除霜運転を１０分間、もしくは吸熱器温度が１６℃を超えるまで行った後、再び、除湿運転を行うことになる。
【００８４】
次に、着霜予測手段２７が着霜を予測した場合、除湿運転から開始するように制御した場合の例を示す。図６は、室内温度が９℃未満の時の運転状況を圧縮機１０１、加熱手段１０９の動作と加熱手段１０９の温度との関係から示したグラフである。室内温度が９℃未満である場合、着霜予測手段２７は、着霜を予測することになる。上述したように、直前に着霜状態で運転を終え、その直後に再度運転した場合の着霜の進行による不具合を防止するため、着霜予測手段２７が着霜を予測した場合は、運転開始直後の除湿運転の運転時間を２回目以降の除湿運転よりも短くしている。
【００８５】
本実施例では、運転直後の除湿運転の時間を５分としている。この時間は、直前に着霜状態で運転を終え、その直後に再度運転して更に着霜が進んでも、その後の除霜運転で除霜が完了できる着霜量になるまでの時間が許容できるので、そのシステムに見合った時間とすることができる。これにより、吸熱器１０４での着霜量の極端な増加を抑制でき、除霜運転時に確実に除霜が完了することができるので吸熱器１０４の着霜による風路の閉塞、機器からの水漏れ等の不具合を起こすことがない。その後、図５で説明したように、除湿運転（この場合、室内環境温度が９℃未満なので「着霜抑制モード」）と除霜運転を交互に行うことになる。
【００８６】
図７は、着霜予測手段２７が室内温度（室内環境温度）と室内相対湿度（室内環境相対湿度）により着霜を予測する場合の着霜予測範囲の一例を示した図である。室内温度および室内相対湿度が図中の斜線の部分に入る場合、着霜を予測することになる。図７の斜線の着霜予測範囲は、実験あるいは計算予測、シミュレーションなどによりもとめる。このように室内温度だけではなく室内相対湿度も加味して着霜を判断することにより、より細かく正確に着霜を判断することができる。
【００８７】
着霜予測手段２７は、室温センサー１２により検出、検知、計測された室内温度と、湿度センサー１３により検出、検知、計測された室内相対湿度により、図７の一例に示す斜線の着霜予測範囲に入っているかどうかを判断し、着霜予測範囲に入っていれば、着霜を予測し、着霜予測範囲に入っていなければ、着霜を予測しないことになる。着霜予測手段２７としては、上記内容、手順あるいは／および判断手順などがプログラムされたマイコンなどがある。
【００８８】
以上、説明した構成および動作により、本実施形態の除湿装置は、以下の効果を奏するものである。
【００８９】
着霜予測手段２７により、吸熱器１０４の着霜が予測された場合には、予め吸熱器１０４の着霜を抑制しながら除湿運転を行うことができ、吸熱器１０４の着霜による風路の閉塞、機器からの水漏れ等の不具合を起こすことがなく、信頼性の高い除湿装置を供給できるという効果を奏する。
【００９０】
また、着霜予測手段２７により、吸熱器１０４の着霜が予測された場合には、意図的に除湿量を低減させることにより吸熱器１０４の着霜を抑制しながら除湿運転を行い、吸熱器１０４の着霜による風路の閉塞、機器からの水漏れ等の不具合を起こすことがなく、信頼性の高い除湿装置を供給できるという効果を奏する。
【００９１】
また、着霜予測手段２７により、吸熱器１０４の着霜が予測された場合には、放湿領域１０７を加熱しデシカントローター１０８の放湿を担っている加熱手段１０９の出力を低減させることにより、デシカントローター１０８の放湿を抑制し、除湿量を意図的に低減させることにより、吸熱器１０４の着霜を抑制しながら除湿運転を行い、吸熱器１０４の着霜による風路の閉塞、機器からの水漏れ等の不具合を起こすことがなく、信頼性の高い除湿装置を供給できるという効果を奏する。
【００９２】
また、着霜予測手段２７により吸熱器１０４の着霜を予測した場合には、吸熱器１０４に供給する空気の風量を増加させることにより、吸熱器１０４での水分凝縮に適した風速より速い風速を与え、湿った空気を素通りさせる（いわゆるバイパスファクターを増加させる）ことにより、吸熱器１０４での水分凝縮を減らし意図的に除湿量を低減させることにより着霜を抑制させながら除湿運転を行い、吸熱器１０４の着霜による風路の閉塞、機器からの水漏れ等の不具合を起こすことがなく、信頼性の高い除湿装置を供給できるという効果を奏する。
【００９３】
また、着霜予測手段２７により吸熱器１０４の着霜を予測した場合には、放熱器１０２の放熱量を減少させることにより、冷凍サイクルのサイクル圧力の低下を抑え、吸熱器１０４の過度の冷却を抑制することにより吸熱器１０４の着霜を抑制させながら除湿運転を行い、吸熱器１０４の着霜による風路の閉塞、機器からの水漏れ等の不具合を起こすことがなく、信頼性の高い除湿装置を供給できるという効果を奏する。
【００９４】
また、室内空気を放熱器１０２、放湿領域１０７、吸熱器１０４、吸湿領域１０６の順に供給するメイン風路７と、室内空気を放熱器１０２に供給する第１バイパス風路８を備え、着霜予測手段２７により吸熱器１０４の着霜を予測した場合には、第１バイパス風路８の風量を減少させることにより、放熱器１０２に供給される風量を減少し、放熱器１０２の放熱量を減少させることにより、冷凍サイクルのサイクル圧力の低下を抑え、吸熱器１０４の過度の冷却を抑制することにより吸熱器１０４の着霜を抑制させながら除湿運転を行い、吸熱器１０４の着霜による風路の閉塞、機器からの水漏れ等の不具合を起こすことがなく、信頼性の高い除湿装置を供給できるという効果を奏する。
【００９５】
また、メイン風路７と第１バイパス風路８に室内空気を供給する１つの送風手段６を備え、着霜予測手段２７により吸熱器１０４の着霜を予測した場合には、第１バイパス風路８に風路抵抗を付加することにより、放熱器１０２に供給される風量を減少させ冷凍サイクルのサイクル圧力の低下を抑え、吸熱器１０４の過度の冷却を抑えるとともに、送風手段６の回転数が上がり、メイン風路７では流れる風量が上昇し、吸熱器１０４に供給される風量が増えるので、吸熱器１０４での水分凝縮に適した風速より速い風速を与え、湿った空気を素通りさせる（いわゆるバイパスファクターを増加させる）ことにより、吸熱器１０４での水分凝縮を減らし意図的に除湿量を低減させることになり、吸熱器１０４の着霜を抑制することにより吸熱器１０４の着霜を抑制させながら除湿運転を行い、吸熱器１０４の着霜による風路の閉塞、機器からの水漏れ等の不具合を起こすことがなく、信頼性の高い除湿装置を供給できるという効果を奏する。
【００９６】
また、吸熱器１０４の前段に室内空気を直接取り入れる第２バイパス風路１１を有することにより放湿領域１０７から流出する高温多湿の空気に室内空気を混ぜることにより空気の温度を下げ、相対湿度を上げることにより吸熱器１０４での凝縮効率を向上させ、しかも吸湿領域１０６により多くの空気を流入させることによりデシカントローター１０８の吸放湿の効率を向上させることにより除湿効率を向上している除湿装置において、着霜予測手段２７により吸熱器１０４の着霜を予測した場合には、第２バイパス風路１１の空気抵抗を調整することにより前記吸熱器１０４への空気供給量を減少させることにより前述の除湿効率向上の作用を弱め、意図的に除湿量を低減させることになり吸熱器１０４の着霜を抑制させながら除湿運転を行い、吸熱器１０４の着霜による風路の閉塞、機器からの水漏れ等の不具合を起こすことがなく、信頼性の高い除湿装置を供給できるという効果を奏する。
【００９７】
また、吸熱器１０４に付着した霜を取り除く除霜運転を備え、運転開始前に着霜予測手段２７が着霜状態を予測した場合は、運転開始時は、除霜運転から行うことにより、着霜状態のまま運転停止している除湿装置を再度運転した場合の吸熱器１０４の着霜量が通常より増加するのを抑制することにより吸熱器１０４の着霜による風路の閉塞、機器からの水漏れ等の不具合を起こすことがなく、信頼性の高い除湿装置を供給できるという効果を奏する。
【００９８】
また、運転開始から所定時間経過後に吸熱器１０４の冷媒温度が所定温度以下であることを検知して着霜を判断する着霜判断手段２６を備えた除湿装置においては、着霜状態のまま運転停止している除湿装置を再度運転した場合、着霜判断手段２６の着霜判断までの時間が事実上長くなり、通常より吸熱器１０４の着霜量が増加する可能性があるが、運転開始前に着霜予測手段２７が着霜を予測した場合、運転後一回目の着霜判断手段２６の着霜判断までの所定時間を、２回目以降の着霜判断までの時間より短くすることにより、吸熱器１０４での着霜量の極端な増加を抑制でき、除霜運転時に確実に除霜が完了することができるので吸熱器１０４の着霜による風路の閉塞、機器からの水漏れ等の不具合を起こすことがなく、信頼性の高い除湿装置を供給できるという効果を奏する。
【００９９】
また、圧縮機１０１を停止し、加熱手段１０９およびデシカントローター１０８を駆動し、室内空気を圧縮機１０１、放湿領域１０７、吸熱器１０４、吸湿領域１０６へと供給する除霜運転、つまり冷凍サイクルの動作を停止し吸熱器１０４の吸熱を止め、加熱手段１０９の熱量を吸熱器１０４に導入することにより吸熱器１０４に生成した氷霜を融解する除霜運転において、除霜運転時はデシカントローター１０８の駆動速度を遅くすることにより、デシカントローター１０８に与えられた加熱手段１０９の熱量がデシカントローター１０８の回転により吸湿領域１０６に持ち込まれ、室内に放出されるという無駄を抑制し、無駄なく加熱手段１０９の熱量を吸熱器１０４に投入することにより効率的に除霜運転が可能となり確実に除霜が完了することができるので吸熱器１０４の着霜による風路の閉塞、機器からの水漏れ等の不具合を起こすことがなく、信頼性の高い除湿装置を供給できるという効果を奏する。
【０１００】
また、圧縮機１０１を停止し、加熱手段１０９およびデシカントローター１０８を駆動し、室内空気を圧縮機１０１、放湿領域１０７、吸熱器１０４、吸湿領域１０６へと供給する除霜運転、つまり冷凍サイクルの動作を停止し吸熱器１０４の吸熱を止め、加熱手段１０９の熱量を吸熱器１０４に導入することにより吸熱器１０４に生成した氷霜を融解する除霜運転において、除霜運転時は吸熱器１０４への空気供給量を増加させることにより、吸熱器１０４での熱交換量を増加し、氷、霜の融解を促進することにより効率的に除霜運転が可能となり確実に除霜が完了することができるので吸熱器１０４の着霜による風路の閉塞、機器からの水漏れ等の不具合を起こすことがなく、信頼性の高い除湿装置を供給できるという効果を奏する。
【０１０１】
また、圧縮機１０１を停止し、加熱手段１０９およびデシカントローター１０８を駆動し、室内空気を圧縮機１０１、放湿領域１０７、吸熱器１０４、吸湿領域１０６へと供給する除霜運転、つまり冷凍サイクルの動作を停止し吸熱器１０４の吸熱を止め、加熱手段１０９の熱量を吸熱器１０４に導入することにより吸熱器１０４に生成した氷霜を融解する除霜運転において、除霜運転時は加熱手段１０９の加熱量を増加させることにより、吸熱器１０４への投入熱量を増加し、氷、霜の融解を促進することにより効率的に除霜運転が可能となり確実に除霜が完了することができるので吸熱器１０４の着霜による風路の閉塞、機器からの水漏れ等の不具合を起こすことがなく、信頼性の高い除湿装置を供給できるという効果を奏する。
【０１０２】
また、除霜運転に切り替わってから所定時間経過後に加熱手段１０９の加熱量を増加させることにより、まず、圧縮機１０１の駆動を停止し、ある程度吸熱器１０４の氷や霜が融解してから加熱手段１０９の加熱量を増加させるので、除湿運転中に吸熱器１０４に着霜し、氷や霜により通風抵抗が増し風量が減少しているところに急激に加熱量が増加することで加熱手段１０９周辺や風路に高温による不具合を発生させることなく、吸熱器１０４への投入熱量を増加し、氷、霜の融解を促進することができるので吸熱器１０４の着霜による風路の閉塞、機器からの水漏れ等の不具合を起こすことがなく、信頼性の高い除湿装置を供給できる。
【０１０３】
また、室内空気の温度または温湿度を測定する測定手段を備え、測定手段の測定値を元に前記吸熱器１０４の着霜を予測するので、運転を開始する前でも吸熱器１０４の着霜を予測でき、それに対応して着霜を抑制しながら運転を行うことができ、吸熱器１０４の着霜による風路の閉塞、機器からの水漏れ等の不具合を起こすことがなく、信頼性の高い除湿装置を供給できるという効果を奏する。
【０１０４】
以上説明した内容は、発明を実施するための一形態についてのみ説明したものであり、本発明は上記実施の形態に限定されるものではない。
【０１０５】
例えば、上記実施の形態では、本体１の片側面に吸込口３、本体１の上面に第１吹出口４、吸込口３の反対側の側面に第２吹出口５を開口しているが、商品構成上任意の位置に設けてよく上記位置に限定するものではない。
【０１０６】
また、上記実施の形態では、吹出口ダンパー９を、メイン風路７の吹出し先を第１吹出口に設定する実線位置と、第２吹出口に設定する点線位置との切換を行うように構成したが、吹出口ダンパー９の切換パターンは上記にとどまるものではない。例えば、第一バイパス風路の吹出し先を切換える構成としてもよく様々なパターンに適用することができる。
【０１０７】
また、上記実施の形態では、「自動除湿モード」において室温センサー１２の検出値Ｔｒが１５℃未満で加熱手段１０９および駆動手段２を作動させてデシカントローター１０８の吸放湿作用を組み合せる除湿運転を行い、検出値Ｔｒが１５℃以上で加熱手段１０９を停止させて除湿運転を実行する構成としたが、例えば、加熱手段１０９の出力を大、小の２段階に切換可能に構成し、検出値Ｔｒが１０℃未満でヒーター２１の出力を大に設定して除湿運転を実行し、検出値Ｔｒが１０℃以上かつ２０℃未満で加熱手段１０９の出力を小に設定して除湿運転を実行し、検出値Ｔｒが２０℃以上で加熱手段を停止して除湿運転を実行するような多段階の運転形態にしてもよい。
【０１０８】
また、吸込口３の開口面に着脱自在にフィルターを配設して本体１内部への異物流入を抑制する、あるいは第１吹出口４や第２吹出口５にルーバー機構を設け、吹出空気の吹出方向を変更可能に構成するなど適宜設計してもよい。
【０１０９】
また、第１吹出口４に着脱自在に排気ダクトを設け、第１吹出口４から排出される高温空気を第２吹出口５から遠方に排出するように構成してもよい。この場合、排気ダクトからの排気を本体１が配置される空間とは別の空間に排出した場合には、本体１が置かれている空間に、第２吹出口５からの低温空気のみを供給することも可能となり、快適性をさらに向上できる。
【０１１０】
また、吹出口ダンパー９や第１バイパス風路ダンパー１６、第２バイパス風路ダンパー１７などのの切換えを駆動モータによりダンパーを移動させて実行する構成としたが、ダンパーに連結したレバーを設けて手動で切換えるように構成してもよい。その場合は、ダンパーに磁石を設け、何れかの位置にホール素子などの位置検出器を配設して、ダンパーの設定位置を検出可能に構成することが望ましい。
【産業上の利用可能性】
【０１１１】
以上のように本発明にかかる除湿装置は、ヒートポンプとデシカントローターを複合させ、低温時でもヒートポンプを利用して効率良く除湿できるものであり、除湿装置、乾燥機、衣類乾燥機、洗濯乾燥機、浴室換気乾燥機、溶剤回収装置または空調機等の高効率な除湿機能が望まれる用途に適している。
【図面の簡単な説明】
【０１１２】
【図１】本発明の実施の形態１に係る除湿装置の概略構成を示す簡易的な模式図
【図２】同除湿装置の制御ブロック図
【図３】同除湿装置の操作部の概略構成図
【図４】同除湿装置の運転モード別制御動作を示す図
【図５】同除湿装置の除霜運転から動作する時の圧縮機、加熱手段の動作と加熱手段の温度との関係から示した図
【図６】同除湿装置の除湿運転から動作する時の圧縮機、加熱手段の動作と加熱手段の温度との関係から示した図
【図７】同着霜予測手段が着霜を予測する着霜予測範囲の一例を示した図
【図８】従来の除湿装置の概略構成を示した図
【符号の説明】
【０１１３】
２      駆動手段
６      送風手段
７      メイン風路
８      第１バイパス風路
１１    第２バイパス風路
１２    室温センサー
１３    湿度センサー
２６    着霜判断手段
２７    着霜予測手段
１０１  圧縮機
１０２  放熱器
１０３  膨張機構
１０４  吸熱器
１０５  ヒートポンプ
１０６  吸湿領域
１０７  放湿領域
１０８  デシカントローター
１０９  加熱手段
【図１】
2008080233.tif 000003
【図２】
2008080233.tif 000004
【図３】
2008080233.tif 000005
【図４】
2008080233.tif 000006
【図５】
2008080233.tif 000007
【図６】
2008080233.tif 000008
【図７】
2008080233.tif 000009
【図８】
2008080233.tif 000010